(57)【要約】【課題】停電前の障害もしくは状態情報を保持し、ＣＰＵを起動せずに保持情報を表示する表示装置を提供する。【解決手段】電源からの給電によって動作するＣＰＵ１と、ＣＰＵ１により設定される状態を保持する状態保持手段２と、電源とバックアップ用電池の両者に接続され、状態保持手段２の状態を保持するバックアップ電源回路３と、バックアップ用電池と状態保持手段２との間に設けられた表示スイッチ８と、電源からの給電が無くなった場合、表示スイッチ８のオン動作時に状態保持手段２の状態を表示する表示手段４を備えた。【選択図】図１
2010118844.tif 000002
【特許請求の範囲】
【請求項１】
電源からの給電によって動作する中央演算処理装置と、
上記中央演算処理装置により設定される状態を保持する状態保持手段と、
上記電源とバックアップ用電池の両者に接続され、上記状態保持手段の状態を保持するバックアップ電源回路と、
上記バックアップ用電池と上記状態保持手段との間に設けられた表示スイッチと、
上記電源からの給電が無くなった場合、上記表示スイッチのオン動作時に上記状態保持手段の状態を表示する表示手段と、を備えたことを特徴とする表示装置。
【請求項２】
上記状態保持手段は、
上記中央演算処理装置によりオン／オフ状態が設定されるオン／オフ設定手段と、
上記電源からの信号と上記表示スイッチを介した上記バックアップ用電池から信号の何れか一方により信号を出力するＯＲ回路と、
上記オン／オフ設定手段からの信号と上記ＯＲ回路からの信号の両者により信号を出力し、上記表示手段を動作させるＡＮＤ回路と、
を含む構成であることを特徴とする請求項１に記載の表示装置。
【請求項３】
上記電源からの給電が無くなった場合、上記表示スイッチのオン動作時に、上記表示手段の表示と異なる上記状態保持手段の状態を表示する第２の表示手段を備えたことを特徴とする請求項１または請求項２に記載の表示装置。
【請求項４】
電源からの給電によって動作する中央演算処理装置と、
上記中央演算処理装置により設定される状態を保持する状態保持手段と、
上記電源とバックアップ用電池の両者に接続され、上記状態保持手段の状態を保持するバックアップ電源回路と、
上記電源からの給電により上記状態保持手段の状態を表示する表示手段と、
上記中央演算処理装置と上記状態保持手段の間に設けられ、上記状態保持手段から上記中央演算処理装置を切り離すスイッチと、を備えたことを特徴とする表示装置。
【請求項５】
上記状態保持手段は、
上記中央演算処理装置によりオン／オフ状態が設定されるオン／オフ設定手段と、
上記オン／オフ設定手段からの信号と上記電源からの信号の両者により信号を出力し、上記表示手段を動作させるＡＮＤ回路と、
を含む構成であることを特徴とする請求項４に記載の表示装置。
【請求項６】
電源からの給電によって動作する中央演算処理装置と、
上記中央演算処理装置により設定される状態を保持する状態保持手段と、
上記電源とバックアップ用電池の両者に接続され、上記状態保持手段の状態を保持するバックアップ電源回路と、
上記状態保持手段の状態を表示する表示手段と、
上記電源からの給電が無くなった場合、上記表示手段を間欠的に点灯させる点灯手段と、を備えたことを特徴とする表示装置。
【請求項７】
上記点灯手段は、クロック信号発生手段と、上記クロック信号発生手段の発生するクロックをカウントするカウンタにより構成されることを特徴とする請求項６に記載の表示装置。
【請求項８】
電源からの給電によって動作する中央演算処理装置と、
上記中央演算処理装置により設定される状態を保持する状態保持手段と、
上記電源とバックアップ用電池の両者に接続され、上記状態保持手段の状態を保持するバックアップ電源回路と、
上記電源からの給電が無くなった場合、ＬＥＤに光を当てることにより動作し、上記状態保持手段の状態を上記ＬＥＤに表示させる明暗検出回路と、を備えたことを特徴とする表示装置。
【請求項９】
上記状態保持手段は、
上記中央演算処理装置によりオン／オフ状態が設定されるオン／オフ設定手段と、
上記電源からの信号と上記明暗検出回路から信号の何れか一方により信号を出力するＯＲ回路と、
上記オン／オフ設定手段からの信号と上記ＯＲ回路からの信号の両者により信号を出力し、上記ＬＥＤを動作させるＡＮＤ回路と、
を含む構成であることを特徴とする請求項８に記載の表示装置。
【発明の詳細な説明】
【技術分野】
【０００１】
この発明は、例えば、データ通信時に停電等の障害が発生したとき、その障害情報を表示する表示装置に関するものである。
【背景技術】
【０００２】
一般に、銀行等のセンター装置に接続し、入出金等の手続きを行うデータ通信機能付電話装置が知られている。このデータ通信機能付電話装置は、図６にその一部を示すように、装置全体の制御を行う中央演算処理装置（以下、ＣＰＵという。）６０と表示部６１を備えるとともに、プログラムが格納されるＲＯＭ（Ｒｅａｄ  ｏｎｌｙ  ｍｅｍｏｒｙ）６２、ＤＲＡＭ（Ｄｙｎａｍｉｃ  ｒａｎｄｏｍ  ａｃｃｅｓｓ  ｍｅｍｏｒｙ）６３、および各種のデータが格納されるＳＲＡＭ（Ｓｔａｔｉｃ  ｒａｎｄｏｍ  ａｃｃｅｓｓ
ｍｅｍｏｒｙ）６４を備えている。なお、ＳＲＡＭ６４にバックアップ用の電池６５が付設されており、停電時にデータを保持するように構成されている。
【０００３】
このデータ通信機能付電話装置は、センター装置とのデータ通信中に、定期的な割り込み処理を実行し、例えば、どの銀行とどのような入出金手続きを行っているか等のデータ通信動作をＳＲＡＭ６４の停電用エリアへ保存している。即ち、データ通信中の場合には定期的に、常時、ＳＲＡＭ６４の停電用エリアへ通信状態の内容が更新記憶されており、このような時に停電等が発生すると、ＣＰＵ６０は動作を停止するが、電池６５によりバックアップされるＳＲＡＭ６４内の停電用エリアの内容は保持されている。そして、停電後の電源復旧持、または通常の電源投入時に、ＣＰＵ６０が起動されてＳＲＡＭ６４内の停電用エリアの内容を参照し、通信状態を表す所定のデータがあると判定した場合には、このデータを表示部６１に表示する（例えば、特許文献１参照）。
【０００４】
【特許文献１】特開平５−２６０２０８号公報（段落０００６〜００１１、図１）
【発明の開示】
【発明が解決しようとする課題】
【０００５】
特許文献１に開示されたデータ通信機能付電話装置は、上記のように構成されているので、停電前の状態を調べるためには、ＣＰＵ６０を再起動する必要があった。
【０００６】
また、表示すべき状態の情報量が少ない場合においても、ＳＲＡＭ６４という複雑な論理回路を使用する必要があるため、ＳＲＡＭ６４内の停電用エリアの内容を長時間にわたって保持するためには、大容量の電池６５を使用する必要があった。
【０００７】
この発明は上記のような課題を解決するためになされたものであり、例えば、特定の障害の有無だけを記録したい場合等、保持すべき状態の情報量が少ない場合に、停電前の障害もしくは状態情報を保持し、ＣＰＵを起動せずに保持情報を表示する表示装置を提供することを目的とする。
【課題を解決するための手段】
【０００８】
上記目的を達成するために、この発明に係る表示装置は、電源からの給電によって動作する中央演算処理装置と、上記中央演算処理装置により設定される状態を保持する状態保持手段と、上記電源とバックアップ用電池の両者に接続され、上記状態保持手段の状態を保持するバックアップ電源回路と、上記バックアップ用電池と上記状態保持手段との間に設けられた表示スイッチと、上記電源からの給電が無くなった場合、上記表示スイッチのオン動作時に上記状態保持手段の状態を表示する表示手段と、を備えたものである。
【発明の効果】
【０００９】
この発明に係る表示装置によれば、停電前の障害もしくは状態情報を保持し、ＣＰＵを起動せずに保持された停電前の情報を表示することができる。
【発明を実施するための最良の形態】
【００１０】
以下、添付の図面を参照して、この発明に係る表示装置について好適な実施の形態を説明する。なお、これらの実施の形態によりこの発明が限定されるものではない。
【００１１】
実施の形態１．
図１は、この発明の実施の形態１に係る表示装置を示す構成図である。図１において、表示装置１００は、ＣＰＵ１と、表示すべき状態を保持し、表示を制御する状態保持回路２と、状態保持回路２をバックアップするバックアップ電源回路３、および表示手段、例えばＬＥＤ（Ｌｉｇｈｔ  ｅｍｉｔｔｉｎｇ  ｄｉｏｄｅ）４を備えている。
【００１２】
状態保持回路２は、ＣＰＵ１によってオン／オフ状態が制御されるリセット／セットフリップフロップ（以下、ＲＳフリップフロップという。）５、図示しない機器の電源ライン６から入力される信号と、同じく図示しないバックアップ用電池の電源ライン７から表示スイッチ８を介して入力される信号の、何れか一方の信号に基づいて動作するＯＲ回路９、およびＲＳフリップフロップ５のオン／オフ状態信号とＯＲ回路９の出力信号との両信号に基づいて動作するＡＮＤ回路１０を備えている。
【００１３】
また、バックアップ電源回路３は、機器の電源ライン６に接続されるダイオード１１と、ダイオード１１と対向してバックアップ用電池の電源ライン７に接続されるダイオード１２を備え、停電によって機器の電源ライン６の電力が失われたとき、バックアップ用電池の電源ライン７によって、状態保持回路２に対する電力の供給を継続するように構成されている。
【００１４】
実施の形態１に係る表示装置は上記のように構成されており、次にその動作について説明する。
まず、機器の電源ライン６がオン状態のとき、ＣＰＵ１は電源ライン６からの給電によって状態保持回路２を構成するＲＳフリップフロップ５を制御し、その状態を設定する。ＲＳフリップフロップ５がオン状態に設定された場合、ＯＲ回路９の出力信号とＲＳフリップフロップ５の出力信号がＡＮＤ回路１０に入力され、ＡＮＤ回路１０の出力信号に基づいてＬＥＤ４が点灯する。また、ＲＳフリップフロップ５がオフ状態に設定された場合、ＡＮＤ回路１０からの出力信号が無くなってＬＥＤ４が消灯する。
【００１５】
次に、機器の電源ライン６がオフ状態になったとき、バックアップ電源回路３によって、状態保持回路２への給電は継続されるが、ＯＲ回路９の出力信号が無く、従ってＡＮＤ回路１０からの出力信号が無くなってＬＥＤ４が消灯する。このとき、バッテリの電力は、状態保持のみに使用されるため、低消費電力になる。
【００１６】
次に、表示スイッチ８をオン状態にすると、ＯＲ回路９から信号が出力され、ＲＳフリップフロップ５がオン状態の場合は、ＡＮＤ回路１０の出力信号に基づいて、ＬＥＤ４は点灯し、ＲＳフリップフロップ５がオフ状態の場合には、ＬＥＤ４は点灯しない。
【００１７】
以上のように、実施の形態１に係る表示装置は、機器の電源ライン６がオフ状態になったとき、表示スイッチ８をオン状態にしたときのみ状態保持回路２の状態をＬＥＤ４に表示するので、ＣＰＵ１を起動せずに保持された停電前の情報を表示することができ、バックアップ中にＬＥＤ４が点灯し続けることよる電池の消耗を防ぐことができる。
【００１８】
また、この一連の表示には、ＣＰＵ１の動作も、機器の電源ライン６の電力も必要としないので、ＣＰＵ１や、機器の電源ライン６が故障した場合においても、状態保持回路２の状態をＬＥＤ４に表示できる。
【００１９】
なお、上記実施の形態１では、ＬＥＤ４を表示に用いているが、これら以外の表示／状態通知に使用できるあらゆる方式でも代用できることは明らかである。
【００２０】
実施の形態２．
次に、この発明の実施の形態２に係る表示装置について説明する。図２は、実施の形態２に係る表示装置を示す構成図である。図２において、表示装置２００は、ＬＥＤ４に加えて第２の表示手段、例えば第２のＬＥＤ２０を備えている。この第２のＬＥＤ２０は、後述するように、状態保持回路２１のオフ状態を表示するもので、ＯＲ回路９からの出力信号と、ＡＮＤ回路１０の出力信号を反転させるインバータ回路２２の出力信号の両信号に基づいて動作する第２のＡＮＤ回路２３の出力信号により点灯するように構成されている。そして、ＲＳフリップフロップ５、ＯＲ回路９、ＡＮＤ回路１０、インバータ回路２２、および第２のＡＮＤ回路２３を含み状態保持回路２１が構成されている。なお、その他の構成については実施の形態１と同様であり、同一符号を付してその説明を省略する。
【００２１】
実施の形態２に係る表示装置は上記のように構成されており、次にその動作について説明する。
まず、機器の電源ライン６がオン状態のとき、ＣＰＵ１は電源ライン６からの給電によって状態保持回路２１を構成するＲＳフリップフロップ５を制御し、その状態を設定する。ＲＳフリップフロップ５がオン状態に設定された場合、ＯＲ回路９の出力信号とＲＳフリップフロップ５の出力信号がＡＮＤ回路１０に入力され、ＡＮＤ回路１０の出力信号に基づいてＬＥＤ４が点灯し、第２のＬＥＤ２０は消灯する。また、ＲＳフリップフロップ５がオフ状態に設定された場合は、その逆にＬＥＤ４が消灯し、第２のＬＥＤ２０は点灯する。
【００２２】
次に機器の電源ライン６がオフ状態になったとき、バックアップ電源回路３によって、状態保持回路２１への給電は継続されるが、ＯＲ回路９の出力信号がなく、従ってＡＮＤ回路１０および第２のＡＮＤ回路２３からの出力信号が無く、ＬＥＤ４、ＬＥＤ２０共に消灯する。
【００２３】
次に、表示スイッチ８をオン状態にすると、ＯＲ回路９から信号が出力され、ＲＳフリップフロップ５がオン状態の場合は、ＡＮＤ回路１０の出力信号に基づいて、ＬＥＤ４が点灯し、第２のＬＥＤ２０は消灯する。一方、ＲＳフリップフロップ５がオフ状態の場合には、その逆にＬＥＤ４が消灯し、第２のＬＥＤ２０は点灯する。このとき、電池が消耗してしまった場合や、ＬＥＤ４あるいはＬＥＤ２０が故障した場合は、ＬＥＤ４もＬＥＤ２０も共に消灯したままになる。
【００２４】
以上のように、実施の形態２に係る表示装置は、電池の容量枯渇、及びＬＥＤの故障を判別しつつ、実施の形態１と同じ効果を得ることができる。
【００２５】
なお、上記実施の形態２では、ＬＥＤ４を表示に用いているが、これら以外の表示／状態通知に使用できるあらゆる方式でも代用できることは明らかである。
【００２６】
実施の形態３．
次に、この発明の実施の形態３に係る表示装置について説明する。図３は、実施の形態３に係る表示装置を示す構成図である。図３において、表示装置３００は、表示すべき状
態を保持し、表示を制御する状態保持回路３０を備えており、この状態保持回路３０は、ＲＳフリップフロップ５とＡＮＤ回路１０を備えている。更に、ＣＰＵ１と状態保持回路３０との間には、状態保持回路３０からＣＰＵ１を切り離すスイッチ３１が設けられている。なお、その他の構成については実施の形態１と同様であり、同一符号を付してその説明を省略する。
【００２７】
実施の形態３に係る表示装置は上記のように構成されており、次にその動作について説明する。
まず、機器の電源ライン６がオン状態のとき、ＣＰＵ１は電源ライン６からの給電によって状態保持回路３０を構成するＲＳフリップフロップ５を制御し、その状態を設定する。なお、このときスイッチ３１は投入状態にある。ＲＳフリップフロップ５がオン状態に設定された場合、機器の電源ライン６の信号とＲＳフリップフロップ５の出力信号がＡＮＤ回路１０に入力され、ＡＮＤ回路１０の出力信号に基づいてＬＥＤ４が点灯する。また、ＲＳフリップフロップ５がオフ状態に設定された場合、ＡＮＤ回路１０からの出力信号が無く、ＬＥＤ４は消灯する。
【００２８】
次に、機器の電源ライン６がオフ状態になったとき、バックアップ電源回路３によって、状態保持回路３０への給電は継続されるが、機器の電源ライン６の信号が無く、従ってＡＮＤ回路１０からの出力信号が無くなってＬＥＤ４は消灯する。
【００２９】
次に、スイッチ３１によって、ＣＰＵ１と状態保持回路３０とを切り離す。これによって、機器の電源ライン６復旧した場合に、ＣＰＵ１の初期化によって、内部状態が書き換えられてしまうことが防げる。
【００３０】
次に、機器の電源ライン６が復旧すると、停電前のＲＳフリップフロップ５の状態にしたがって、ＬＥＤ４は点灯または消灯する。
【００３１】
以上のように、実施の形態３に係る表示装置は、電池のパワーをすべて状態保持に使用しつつ、ＣＰＵ１を起動させずに、また、ＣＰＵ１が故障であっても、停電前の状態を表示することができる。
【００３２】
なお、上記実施の形態３では、ＬＥＤ４を表示に用いているが、これら以外の表示／状態通知に使用できるあらゆる方式でも代用できることは明らかである。
【００３３】
実施の形態４．
次に、この発明の実施の形態４に係る表示装置について説明する。図４は、実施の形態４に係る表示装置を示す構成図である。図４において、表示装置４００は、表示すべき状態を保持し、表示を制御する状態保持回路４０を備えている。この状態保持回路４０は、クロック信号発生手段４１と、クロック信号発生手段４１の発生するクロックをカウントするカウンタ４２を備えている。なお、クロック信号発生手段４１とカウンタ４２により、後述する動作の点灯手段４３を構成している。
【００３４】
更に、状態保持回路４０は、カウンタ４２の出力信号と、機器の電源ライン６の信号との何れか一方により動作するＯＲ回路９、ＯＲ回路９の出力信号とＲＳフリップフロップ５の出力信号により動作し、ＬＥＤ４を点灯させるＡＮＤ回路１０、ＲＳフリップフロップ５の出力信号を反転させるインバータ回路２２、およびＯＲ回路９の出力信号とインバータ回路２２の出力信号により動作し、第２のＬＥＤ２０を点灯させる第２のＡＮＤ回路２３を備えている。なお、その他の構成については実施の形態２と同様であり、同一符号を付してその説明を省略する。
【００３５】
実施の形態４に係る表示装置は上記のように構成されており、次にその動作について説明する。
まず、機器の電源ライン６がオン状態のとき、ＣＰＵ１は電源ライン６からの給電によって状態保持回路２１を構成するＲＳフリップフロップ５を制御し、その状態を設定する。ＲＳフリップフロップ５がオン状態に設定された場合、ＯＲ回路９の出力信号とＲＳフリップフロップ５の出力信号がＡＮＤ回路１０に入力され、ＡＮＤ回路１０の出力信号に基づいてＬＥＤ４が点灯し、第２のＬＥＤ２０は消灯する。また、ＲＳフリップフロップ５がオフ状態に設定された場合は、その逆にＬＥＤ４が消灯し、第２のＬＥＤ２０は点灯する。
【００３６】
次に、機器の電源ライン６がオフ状態になったとき、バックアップ電源回路３によって、状態保持回路３０への給電は継続される。このとき、状態保持回路４０を構成する点灯手段４３、即ち、クロック信号発生手段４１およびカウンタ４２によって、ＲＳフリップフロップ５がオン状態の場合は、一定時間ごとに、間欠的にＬＥＤ４が点灯し、第２のＬＥＤ２０は消灯する。一方、ＲＳフリップフロップ５がオフ状態の場合には、その逆にＬＥＤ４が消灯し、第２のＬＥＤ２０は点灯する。それ以外の時間は、ＬＥＤ４も第２のＬＥＤ２０も消灯したままの状態になる。
【００３７】
以上のように、実施の形態４に係る表示装置は、状態表示を間欠的に行うことで、表示スイッチ８を省略して実施の形態２と同等の効果を得ることができる。特に、ＬＥＤが設置されるようなメインパネル等の箇所は、実装面積の問題で、表示スイッチ８が設置しにくい場合があり、この効果は重要である。
【００３８】
なお、上記実施の形態４では、ＬＥＤ４を表示に用いているが、これら以外の表示／状態通知に使用できるあらゆる方式でも代用できることは明らかである。
【００３９】
実施の形態５．
次に、この発明の実施の形態５に係る表示装置について説明する。実施の形態１は、表示スイッチにより状態の表示を制御するものであるのに対し、実施の形態５は、外界の明暗を判断し、状態の表示を制御する表示装置を説明するものである。図５は、実施の形態５に係る表示装置を示す構成図である。図５において、表示装置５００は、ＣＰＵ１と、表示すべき状態を保持し、表示を制御する状態保持回路５０と、状態保持回路５０をバックアップするバックアップ電源回路３、および明暗を検知する明暗検知回路５１を備えている。
【００４０】
状態保持回路５０は、機器の電源ライン６から入力される信号と明暗検知回路５１の出力信号の、何れか一方の信号に基づいて動作するＯＲ回路９、およびＯＲ回路９の出力信号とＲＳフリップフロップ５のオン／オフ状態信号との両信号に基づいて動作するＡＮＤ回路１０を備えている。また、明暗検知回路５１には、ＬＥＤ４が含まれており、この明暗検知回路５１は、ＬＥＤ４に直列接続されるとともに、ＡＮＤ回路１０の出力信号をトリガとして動作するトランジスタ５２を含む周知の回路構成となっている。なお、ＣＰＵ１、バックアップ電源回路３については、実施の形態１と同様であり、同一符号を付すことにより、詳細説明を省略する。
【００４１】
実施の形態５に係る表示装置は上記のように構成されており、次にその動作について説明する。
まず、機器の電源ライン６がオン状態のとき、ＣＰＵ１は電源ライン６からの給電によって状態保持回路５０を構成するＲＳフリップフロップ５を制御し、その状態を設定する。ＲＳフリップフロップ５がオン状態に設定された場合、ＯＲ回路９の出力信号とＲＳフリップフロップ５の出力信号がＡＮＤ回路１０に入力され、ＡＮＤ回路１０の出力信号に基づいてトランジスタ５２が動作し、ＬＥＤ４が点灯する。また、ＲＳフリップフロップ５がオフ状態に設定された場合、ＡＮＤ回路１０からの出力信号が無くなってＬＥＤ４が消灯する。
【００４２】
次に、機器の電源ライン６がオフ状態になったとき、バックアップ電源回路３によって、状態保持回路２への給電は継続されるが、ＯＲ回路９の出力信号が無く、従ってＡＮＤ回路１０からの出力信号が無くなってＬＥＤ４が消灯する。このとき、バッテリの電力は、状態保持のみに使用されるため、低消費電力になる。
【００４３】
ところで、ＬＥＤ４に光を当てると起電力が発生することが知られている。明暗検知回路５１にはこの原理が用いられており、ＬＥＤ４に光を当てることによって明暗検知回路５１はオン状態になる。そこで、機器の電源ライン６がオフ状態のとき、ＬＥＤ４に光を当てて明暗検知回路５１をオン状態にする。そして、状態保持回路５０において、明暗検知回路５１からＯＲ回路９を介して出力される信号とＲＳフリップフロップ５の状態信号をＡＮＤ回路１０に入力し、ＬＥＤ４の表示を制御する。
【００４４】
以上のように、実施の形態５に係る表示装置は、ＬＥＤ４にあたる光を検知し、機器の電源ライン６がオフ状態のとき、即ち、バックアップ電源回路３によって、状態保持回路５０への給電時は、ＬＥＤ４に光が当てられたときのみ状態保持回路５０の内部状態を表示するものであり、実施の形態１において用いた表示スイッチを用いることなく、つまり実装面積上の問題なしに、実施の形態１と同等の効果を得ることができる。
【００４５】
また、表示装置の運搬時などでは、ＬＥＤ４を覆って暗くすれば、表示が行われず、バッテリの消耗を防ぐことができる。
【００４６】
なお、上記各実施の形態では、状態の保持にＲＳフリップフロップ５を用いたが、これ以外の状態保持機構でも同様の効果が得られることは明らかである。更に、上記各実施の形態では、電池にてバックアップを行う場合について説明したが、同等の機能を果たす電源であれば、同等の効果が得られることは勿論である。
【産業上の利用可能性】
【００４７】
この発明に係る表示装置は、コンピュータシステムにおける障害／状態情報を保存および表示する表示装置として利用できる。
【図面の簡単な説明】
【００４８】
【図１】この発明の実施の形態１に係る表示装置を示す構成図である。
【図２】この発明の実施の形態２に係る表示装置を示す構成図である。
【図３】この発明の実施の形態３に係る表示装置を示す構成図である。
【図４】この発明の実施の形態４に係る表示装置を示す構成図である。
【図５】この発明の実施の形態５に係る表示装置を示す構成図である。
【図６】従来装置を説明する構成図である。
【符号の説明】
【００４９】
１、６０  ＣＰＵ
２、２１、３０、４０、５０  状態保持回路
３  バックアップ電源回路
４  ＬＥＤ
５  ＲＳフリップフロップ
６  機器の電源ライン
７  バックアップ用電池の電源ライン
８  表示スイッチ
９    ＯＲ回路
１０  ＡＮＤ回路
１１、１２  ダイオード
２０  第２のＬＥＤ
２２  インバータ回路
２３  第２のＡＮＤ回路
３１  スイッチ
４１  クロック信号発生手段
４２  カウンタ
４３  点灯手段
５１  明暗検知回路
５２  トランジスタ
６１  標示部
６２  ＲＯＭ
６３  ＤＲＡＭ
６４  ＳＲＡＭ
６５  電池
１００、２００、３００、４００、５００  表示装置
【図１】
2010118844.tif 000003
【図２】
2010118844.tif 000004
【図３】
2010118844.tif 000005
【図４】
2010118844.tif 000006
【図５】
2010118844.tif 000007
【図６】
2010118844.tif 000008